(57)【要約】      （修正有）【課題】レバー操作力の低減を図ることが可能な構造を有するレバー付きコネクタを提供する。【解決手段】レバー付きコネクタ１は、コネクタハウジング９と、一対のボス部１３と、レバー８と、ハウジングロック部１９及びレバーロック部２５とを備える。ボス部１３には、これを横方向にのばしてスライド許容部１４を形成する。コネクタハウジング９及びレバー８においては、ハウジングロック部１９及びレバーロック部２５を横方向にずらして配置する。コネクタハウジング９及びレバー８には、レバー８を横スライドさせた後の、ハウジングロック部１９及びレバーロック部２５による係止状態を維持するための係止維持部１６をそれぞれ形成する。【選択図】図６
2018206519.tif 000002
【特許請求の範囲】
【請求項１】
第一軸に沿って相手コネクタハウジングに挿入されるコネクタハウジングと、
該コネクタハウジングの両側面から前記第一軸に直交する第二軸に沿ってそれぞれ略ピン状に突出する一対のボス部と、
該一対のボス部に組み付けられるとともに前記コネクタハウジングの挿入開始時における第一位置及び挿入終了時における第二位置の間を回転方向に移動するレバーと、
前記第二位置で係止状態が形成される前記コネクタハウジングのハウジングロック部及び前記レバーのレバーロック部と、
を備え、
前記一対のボス部には、該一対のボス部をそれぞれ前記第二軸の方向にのばして前記レバーのスライドを許容するためのスライド許容部を形成し、
前記コネクタハウジング及び前記レバーにおいては、前記ハウジングロック部及び前記レバーロック部を前記第二軸の方向にずらして配置し、且つ、前記コネクタハウジング及び前記レバーには、該レバーのスライド後の前記ハウジングロック部及び前記レバーロック部による前記係止状態を維持するための係止維持部をそれぞれ形成する
ことを特徴とするレバー付きコネクタ。
【請求項２】
請求項１に記載のレバー付きコネクタにおいて、
前記コネクタハウジング側の前記係止維持部としては、前記一対のボス部のうちの片方に圧入部分となるような状態に形成し、且つ、前記レバー側の前記係止維持部としては、前記圧入部分の圧入先になる被圧入部分となるような状態に形成する
ことを特徴とするレバー付きコネクタ。
【請求項３】
請求項２に記載のレバー付きコネクタにおいて、
前記コネクタハウジング側としては、前記一対のボス部のうちの前記片方に被当接部を形成し、且つ、前記レバー側としては、該レバーのスライド時に前記被当接部に当接する当接部を形成する
ことを特徴とするレバー付きコネクタ。
【発明の詳細な説明】
【技術分野】
【０００１】
本発明は、コネクタハウジングに設けられたレバーを操作することにより相手コネクタハウジングとの挿入が進み、そして、コネクタ同士が嵌合し合うような構造になるレバー付きコネクタに関する。
【背景技術】
【０００２】
レバー付きコネクタとしては、下記特許文献１に開示されたものが知られる。下記特許文献１のレバー付きコネクタは、コネクタハウジングと、このコネクタハウジングの端子収容室に収容される端子金具と、コネクタハウジングに設けられるレバーとを備えて構成される。レバーは、相手コネクタハウジングに対するコネクタハウジングの挿入開始時に第一の位置にあり、挿入終了時には第二の位置にあるような回転方向に移動可能な部材に形成される。
【０００３】
レバー付きコネクタは、レバーを操作して上記第二の位置までレバーを回転移動させると、この時、レバーのレバーロック部がコネクタハウジングのハウジングロック部に対し乗り越えて係止状態が形成されるようになる。係止状態が形成されると、これによりハウジング同士の挿入及びコネクタ同士の嵌合が完了する。
【先行技術文献】
【特許文献】
【０００４】
【特許文献１】特開２００８−２７６５２号公報
【発明の概要】
【発明が解決しようとする課題】
【０００５】
上記従来技術にあっては、レバーを第一の位置から第二の位置まで回転移動させるためのレバー操作力が必要になる他、レバーのレバーロック部をコネクタハウジングのハウジングロック部に対し乗り越えさせる際に付加的に生じるレバー操作力も必要になることから、全体的にレバー操作力が大きくなって作業性が悪くなるという問題点を有する。
【０００６】
本発明は、上記した事情に鑑みてなされたもので、レバー操作力の低減を図ることが可能な構造を有するレバー付きコネクタの提供を課題とする。
【課題を解決するための手段】
【０００７】
上記課題を解決するためになされた請求項１に記載の本発明のレバー付きコネクタは、第一軸に沿って相手コネクタハウジングに挿入されるコネクタハウジングと、該コネクタハウジングの両側面から前記第一軸に直交する第二軸に沿ってそれぞれ略ピン状に突出する一対のボス部と、該一対のボス部に組み付けられるとともに前記コネクタハウジングの挿入開始時における第一位置及び挿入終了時における第二位置の間を回転方向に移動するレバーと、前記第二位置で係止状態が形成される前記コネクタハウジングのハウジングロック部及び前記レバーのレバーロック部と、を備え、前記一対のボス部には、該一対のボス部をそれぞれ前記第二軸の方向にのばして前記レバーのスライドを許容するためのスライド許容部を形成し、前記コネクタハウジング及び前記レバーにおいては、前記ハウジングロック部及び前記レバーロック部を前記第二軸の方向にずらして配置し、且つ、前記コネクタハウジング及び前記レバーには、該レバーのスライド後の前記ハウジングロック部及び前記レバーロック部による前記係止状態を維持するための係止維持部をそれぞれ形成することを特徴とする。
【０００８】
このような請求項１の特徴を有する本発明によれば、ハウジングロック部に対しレバーロック部を乗り越えさせて係止状態を形成するような構造のレバー付きコネクタではなく、第二位置でレバーをスライド（横スライド）させて、それまでずれた配置にあったハウジングロック部とレバーロック部との位置関係を変えて係止状態を形成するような構造のレバー付きコネクタになる。従って、レバーの回転操作に係り、レバー操作力を付加する必要はなく、結果、従来構造よりもレバー操作力の低減を図ることができる。
【０００９】
請求項２に記載の本発明は、請求項１に記載のレバー付きコネクタにおいて、前記コネクタハウジング側の前記係止維持部としては、前記一対のボス部のうちの片方に圧入部分となるような状態に形成し、且つ、前記レバー側の前記係止維持部としては、前記圧入部分の圧入先になる被圧入部分となるような状態に形成することを特徴とする。
【００１０】
このような請求項２の特徴を有する本発明によれば、圧入構造により、スライド後のレバーの位置を保持することができ、結果、ハウジングロック部とレバーロック部との係止状態を維持することができる。
【００１１】
請求項３に記載の本発明は、請求項２に記載のレバー付きコネクタにおいて、前記コネクタハウジング側としては、前記一対のボス部のうちの前記片方に被当接部を形成し、且つ、前記レバー側としては、該レバーのスライド時に前記被当接部に当接する当接部を形成することを特徴とする。
【００１２】
このような請求項３の特徴を有する本発明によれば、当接構造により、レバーのスライド量を規制することができ、結果、レバーの最適な位置決めをすることができる。
【発明の効果】
【００１３】
本発明のレバー付きコネクタによれば、レバー操作力の低減を図ることができ、以て作業性の向上を図ることもできるという効果を奏する。
【図面の簡単な説明】
【００１４】
【図１】本発明のレバー付きコネクタの一実施形態を示す図であり、（ａ）はレバーが第一位置にある時の斜視図、（ｂ）はハウジングロック部とレバーロック部との位置関係を示す断面図、（ｃ）はボス部とボス部回転穴との位置関係を示す斜視図である。
【図２】コネクタハウジングの図であり、（ａ）は斜視図、（ｂ）は（ａ）のハウジングロック部の断面図である。
【図３】（ａ）はハウジングロック部の拡大斜視図、（ｂ）はボス部の拡大斜視図である。
【図４】（ａ）はレバーの正面図、（ｂ）は（ａ）のレバーロック部の拡大図である。
【図５】レバーが第一位置にある時のレバー付きコネクタ及び相手コネクタの斜視図である。
【図６】図５の断面図である。
【図７】（ａ）は図５及び図６のハウジングロック部とレバーロック部との位置関係を示す断面図、（ｂ）は図５及び図６のボス部とボス部回転穴との位置関係を示す斜視図、（ｃ）は（ｂ）の矢印方向から見た図である。
【図８】レバーが第一位置及び第二位置の途中にある時のレバー付きコネクタ及び相手コネクタの斜視図である。
【図９】図８の断面図である。
【図１０】（ａ）は図８及び図９のハウジングロック部とレバーロック部との位置関係を示す断面図、（ｂ）は図８及び図９のボス部とボス部回転穴との位置関係を示す斜視図、（ｃ）は（ｂ）の矢印方向から見た図である。
【図１１】レバーが第二位置まできた時のレバー付きコネクタ及び相手コネクタの斜視図（レバーを横スライドさせる前の図）である。
【図１２】図１１の断面図である。
【図１３】（ａ）は図１１及び図１２のハウジングロック部とレバーロック部との位置関係を示す断面図、（ｂ）は図１１及び図１２のボス部とボス部回転穴との位置関係を示す斜視図、（ｃ）は（ｂ）の矢印方向から見た図である。
【図１４】レバーが第二位置にある時のレバー付きコネクタ及び相手コネクタの斜視図（レバーを横スライドさせた後の図）である。
【図１５】図１４の断面図である。
【図１６】（ａ）は図１４及び図１５のハウジングロック部とレバーロック部との位置関係を示す断面図、（ｂ）は図１４及び図１５のボス部とボス部回転穴との位置関係を示す斜視図、（ｃ）は（ｂ）の矢印方向から見た図である。
【発明を実施するための形態】
【００１５】
レバー付きコネクタは、コネクタハウジングと、一対のボス部と、レバーと、ハウジングロック部及びレバーロック部とを備える。一対のボス部には、これを横方向にのばしてスライド許容部を形成する。コネクタハウジング及びレバーにおいては、ハウジングロック部及びレバーロック部を横方向にずらして配置する。コネクタハウジング及びレバーには、レバーを横スライドさせた後の、ハウジングロック部及びレバーロック部による係止状態を維持するための係止維持部をそれぞれ形成する。
【００１６】
コネクタハウジング側の係止維持部としては、片方のボス部に圧入部を形成する。また、レバー側の係止維持部としては、圧入部の圧入先になる被圧入部を形成する。この他、コネクタハウジング側としては、片方のボス部に被当接部を形成する。また、レバー側としては、レバーの横スライド時に被当接部に当接する当接部を形成する。
【実施例】
【００１７】
以下、図面を参照しながら実施例を説明する。図１は本発明のレバー付きコネクタの一実施形態を示す図である。また、図２及び図３はコネクタハウジングの図、図４はレバーの図である。また、図５〜図７はレバーが第一位置にある時の図、図８〜図１０はレバーが第一位置及び第二位置の途中にある時の図、図１１〜図１３はレバーが第二位置まできた時（レバー横スライド前）の図、図１４〜図１６はレバーが第二位置にある時（レバー横スライド後）の図である。
【００１８】
尚、図中の二つの一点鎖線は、特許請求の範囲に記載された第一軸Ｌ１と第二軸Ｌ２とを示す。第一軸Ｌ１の方向は、コネクタ嵌合の方向やハウジング挿入方向に一致するものとする。また、第二軸Ｌ２は、第一軸Ｌ１に対して直交するものとする。
【００１９】
＜レバー付きコネクタ１及び相手コネクタ２について＞
図１において、引用符号１はレバー付きコネクタを示す。また、引用符号２はレバー付きコネクタ１のコネクタ嵌合相手となる相手コネクタを示す。レバー付きコネクタ１及び相手コネクタ２は、共に多極コネクタであって、コネクタ嵌合における挿入力の低減のために公知のＬＩＦ機構（ここでは詳細な説明は省略するものとする）が採用される。レバー付きコネクタ１及び相手コネクタ２は、例えば自動車用として用いられる。
【００２０】
先ず、相手コネクタ２の構成について簡単に説明をし、次に、レバー付きコネクタ１の構成及び構造について詳細に説明をする。
【００２１】
＜相手コネクタ２について＞
図１及び図５において、相手コネクタ２は、図示しない固定部材の表面に載置固定されるコネクタとして用いられる。相手コネクタ２は、脚状の一対の固定部３を有する絶縁性の相手コネクタハウジング４と、この相手コネクタハウジング４の端子収容室５に収容される導電性の図示しない端子金具とを備えて構成される。端子金具は、図示しない電線端末の導体に接続される。相手コネクタハウジング４には、一対の係合突起６が形成される。この一対の係合突起６は、相手コネクタハウジング４の両側面にそれぞれ配置形成される。
【００２２】
＜レバー付きコネクタ１について＞
図１及び図５において、レバー付きコネクタ１は、固定状態にある相手コネクタ２に対し挿入するような格好で電気的な接続がなされるコネクタであって、コネクタ本体７と、樹脂製のレバー８とを備えて構成される。コネクタ本体７は、絶縁性を有する樹脂製のコネクタハウジング９と、このコネクタハウジング９の端子収容室１０に収容される導電性の図示しない端子金具とを備えて構成される。端子金具は、図示しない電線端末の導体に接続される。
【００２３】
＜コネクタハウジング９の前面及び左右両側面について＞
図１及び図２において、図中の矢印Ｐを上下方向、矢印Ｑを左右方向、矢印Ｒを前後方向と定義すると、コネクタハウジング９の前面には、相手コネクタ２との（相手コネクタハウジング４との）嵌合部１１が開口形成される。また、この嵌合部１１の近傍には、一対のガイド溝１２が形成される。一対のガイド溝１２は、相手コネクタハウジング４の一対の係合突起６にそれぞれ差し込まれて案内されるような部分に形成される。このような一対のガイド溝１２の近傍には（コネクタハウジング９の左右両側面には）、一対のボス部１３が一体に形成される。
【００２４】
＜一対のボス部１３について＞
図１ないし図３において、一対のボス部１３は、後述するレバー８の回転軸及び横スライド部分として形成される。一対のボス部１３は、第二軸Ｌ２や矢印Ｑの左右方向に沿ってそれぞれ略ピン状に突出する部分に形成される。一対のボス部１３には、それぞれスライド許容部１４が形成される。スライド許容部１４は、第二軸Ｌ２の方向にのびてレバー８の横スライドを許容するための部分に形成される。
【００２５】
一対のボス部１３のうちの片方のボス部１３には（右側のボス部１３には）、被当接部１５と、係止維持部１６とが形成される。また、もう片方のボス部１３には（左側のボス部１３には）、被当接部１７（図６参照）が形成される。
【００２６】
右側のボス部１３における被当接部１５は、ボス部１３の先端位置に配置形成される。被当接部１５は、上記先端位置における下部から下方に突出する片状の部分に形成される。被当接部１５は、ストッパとして機能するような部分に形成される。
【００２７】
右側のボス部１３における係止維持部１６は、被当接部１５よりも若干内側に配置され、上半分の外周面からフランジ状に突出するような状態に形成される。また、係止維持部１６は、変形可能で圧入部分となるような状態に形成される。尚、本実施例ではボス部１３の位置に係止維持部１６が形成されるが、後述するレバー８の横スライド後における係止状態（後述する）を維持することができれば他の箇所であってもよいものとする。
【００２８】
一方、左側のボス部１３における被当接部１７（図６参照）は、右側の被当接部１５と同様な位置及び形状に形成される。
【００２９】
＜コネクタハウジング９の上面について＞
図１ないし図３において、コネクタハウジング９の上面には、アーム部１８が形成される。このアーム部１８は、コネクタハウジング９の後側に基端部が形成されるとともに、自由端部が前側にのびるような形状に形成される。アーム部１８は、この中間部がコネクタハウジング９の上面に対して平行な部分に形成される。アーム部１８の中間部は、この中央位置がコネクタハウジング９の中心軸Ｃ１（第一軸Ｌ１及び第二軸Ｌ２にそれぞれ直交する縦軸）に一致するように形成される（図２（ｂ）参照）。アーム部１８の中間部の上面には、ハウジングロック部１９が形成される。
【００３０】
＜ハウジングロック部１９について＞
図２、図３、図６、及び図７において、ハウジングロック部１９は、後述するレバー８を係止するための部分に形成される。ハウジングロック部１９は、コネクタハウジング９の前面側が係止面になるように形成される。ハウジングロック部１９は、係止用の突起部分に形成される。ハウジングロック部１９は、上下方向に短く突出するように、また、左右方向にのびるように形成される。ハウジングロック部１９は、この中心軸Ｃ２が上記中心軸Ｃ１に対して寸法Ｇ１の分だけずれるような位置に形成される（ズレの方向は第二軸Ｌ２に沿った方向である）。ハウジングロック部１９は、レバー８の後述するレバーロック部２５の回転軌跡上に存在しないような位置及び大きさに形成される。
【００３１】
＜レバー８について＞
図１、図４、及び図５において、レバー８は、相手コネクタハウジング４に対するコネクタハウジング９の挿入開始時における第一位置２０（図５参照）及び挿入終了時における第二位置２１（図１１及び図１４参照）の間を回転方向に移動させることが可能な部材に形成される。また、第二位置２１にある状態では、第二軸Ｌ２に沿って横スライドさせることも可能な部材に形成される。
【００３２】
レバー８は、コネクタハウジング９の左右両側面に対向するような一対の脚部２２と、これら一対の脚部２２をコネクタハウジング９の上面側で繋ぐ横桟部２３とを有して図示の形状に形成される。一対の脚部２２には、ボス部回転穴２４がそれぞれ形成される。また、横桟部２３には、レバーロック部２５と、操作部２６とが形成される。
【００３３】
＜一対のボス部回転穴２４について＞
図５及び図７において、一対のボス部回転穴２４は、コネクタハウジング９の一対のボス部１３の形状に合わせた穴形状に形成される。また、一対のボス部回転穴２４は、一対のボス部１３に軸支されるような部分にも形成される。図７において、このような一対のボス部回転穴２４のうち、右側のボス部回転穴２４には、当接部２７と、係止維持部２８とが形成される。
【００３４】
図７において、当接部２７は、ボス部回転穴２４の外縁の一部を凹ませるような部分に形成される。当接部２７は、レバー８の横スライドの際に右側のボス部１３の被当接部１５に当接する部分として形成される。当接部２７と被当接部１５は、レバー８の横スライド量を規制する部分として、また、レバー８の最適な位置決めをする部分として形成される。当接部２７は、レバー８が上記第一位置２０にある時に、被当接部１５に対して当接しない位置（図７（ｃ）参照）にあるように形成される。
【００３５】
図７において、係止維持部２８は、ボス部回転穴２４の外縁の上半分に配置形成される。係止維持部２８は、レバー８の横スライド後における係止状態（後述する）を維持する部分として形成される。係止維持部２８は、ボス部１３の係止維持部１６の圧入先になる被圧入部分として形成される。
【００３６】
＜レバーロック部２５について＞
図４ないし図７において、レバーロック部２５は、コネクタハウジング９のハウジングロック部１９により係止される部分に形成される。また、レバーロック部２５は、ハウジングロック部１９の係止面に対し面接触するような被係止面を有する部分に形成される。さらに、レバーロック部２５は、ハウジングロック部１９と同様のサイズの突起部分に形成される。レバーロック部２５は、この中心軸Ｃ３がレバー８の中心軸Ｃ４に対して寸法Ｇ２の分だけずれるような位置に形成される（ズレの方向は第二軸Ｌ２に沿った方向である）。レバーロック部２５は、自身の回転軌跡上にハウジングロック部１９が存在しないように配置形成される。
【００３７】
＜レバー８が第一位置２０にある時のレバー付きコネクタ１の状態について＞
図５ないし図７において、レバー８が第一位置２０にある時、レバー付きコネクタ１は、このコネクタハウジング９が相手コネクタハウジング４に対し挿入を開始することが可能な状態になる。レバー８は、左寄りに配置され、この時、ハウジングロック部１９とレバーロック部２５は、正面視でラップしない状態（左右にずれた状態）になる。また、レバー８が左寄りであることから、右側のボス部１３の先端位置が右側のボス部回転穴２４から突出した状態になる。
【００３８】
レバー付きコネクタ１のコネクタハウジング９が相手コネクタハウジング４に対し挿入され始めると、コネクタハウジング９のガイド溝１２に相手コネクタハウジング４の係合突起６が差し込まれて案内される。レバー８の脚部２２の図示しない弧状テコ溝の挿入端部分に係合突起６が位置するまで挿入がなされると、レバー８の回転操作が可能な状態になる。尚、弧状テコ溝はレバー８の二つの脚部２２の対向内面側に配置されており、ＬＩＦ機構を構成している。
【００３９】
＜レバー８の回転操作が開始された時のレバー付きコネクタ１の状態について＞
図８ないし図１０において、レバー８の回転操作が開始されると、レバー８の脚部２２（内側の図示しない弧状テコ溝）と相手コネクタハウジング４の係合突起６（図５参照）とが係合し合い、レバー付きコネクタ１は相手コネクタ２に引き寄せられるような状態になる。内部においては、電気的な接続が進行する。尚、レバー８の回転操作が開始されても、レバー８は左寄りのままである。そのためハウジングロック部１９とレバーロック部２５は、正面視でラップしない状態に変わりがない。また、右側のボス部１３の先端位置が右側のボス部回転穴２４から突出した状態も変わりがない。
【００４０】
＜レバー８が第二位置２１まできた時のレバー付きコネクタ１の状態について＞
図１１ないし図１３において、回転操作によりレバー８が第二位置２１まできた時、レバー付きコネクタ１は、このコネクタハウジング９が相手コネクタハウジング４に対し挿入を終了した状態になる（電気的な接続自体も完了した状態になる）。尚、レバー８が第二位置２１まで来る直前にレバーロック部２５がハウジングロック部１９の横を通過する。レバーロック部２５は、ハウジングロック部１９の横を通過するだけであることから、回転操作に係りレバー操作力を付加する必要はない（ハウジングロック部１９に対しレバーロック部２５が乗り越えるような状態にならないため、レバー操作力を付加する必要はない）。
【００４１】
回転操作によりレバー８が第二位置２１まできてもレバー８は左寄りのままであり、ハウジングロック部１９とレバーロック部２５は、正面視でラップしない状態に変わりがない。また、右側のボス部１３の先端位置が右側のボス部回転穴２４から突出した状態も変わりがない。
【００４２】
＜レバー８を横スライドさせた時のレバー付きコネクタ１の状態について＞
図１４ないし図１６において、レバー８が第二位置２１まできた後にレバー８を横スライドさせると、レバーロック部２５が右方向に移動してハウジングロック部１９にラップするような位置関係になり、レバーロック部２５とハウジングロック部１９との間では、係止面同士が対向して係止状態が形成される。すなわち、レバー８が係止された状態が形成される。係止状態が形成されると、レバー８は回転操作が規制された状態になる。
【００４３】
レバー８の横スライドは、レバー８の当接部２７がボス部１３の被当接部１５に当接するまで行われる。この時、ボス部１３の係止維持部１６がボス部回転穴２４の係止維持部２８に圧入される。係止維持部１６と係止維持部２８との圧入状態が形成されると、レバー８の右方向へのスライドが規制される。レバー８の横スライドが規制されると、相手コネクタ２に対するレバー付きコネクタ１のコネクタ嵌合が完了する。
【００４４】
＜レバー付きコネクタ１の効果について＞
以上、図１ないし図１６を参照しながら説明してきたように、本発明の一実施形態であるレバー付きコネクタ１によれば、従来構造、すなわちハウジングロック部に対しレバーロック部を乗り越えさせて係止状態を形成するような構造のレバー付きコネクタではなく、第二位置２１でレバー８を横スライドさせて、それまでずれた配置にあったハウジングロック部１９とレバーロック部２５との位置関係を変えて係止状態を形成するような構造のレバー付きコネクタ１になる。従って、レバー８の回転操作に係り、レバー操作力を付加する必要はなく、結果、従来よりもレバー操作力の低減を図ることができるという効果を奏する。
【００４５】
また、レバー付きコネクタ１によれば、係止維持部１６と係止維持部２８との圧入構造により、横スライド後のレバー８の位置を保持することができ、結果、ハウジングロック部１９とレバーロック部２５との係止状態を維持することができるという効果も奏する。
【００４６】
また、レバー付きコネクタ１によれば、レバー８の当接部２７とボス部１３の被当接部１５との当接構造により、レバー８のスライド量を規制することができ、結果、レバー８の最適な位置決めをすることができるという効果も奏する。
【００４７】
従って、レバー付きコネクタ１は、レバー操作力の低減を図ることができ、以て作業性の向上を図ることもできるという効果を奏する。
【００４８】
本発明は本発明の主旨を変えない範囲で種々変更実施可能なことは勿論である。
【符号の説明】
【００４９】
１…レバー付きコネクタ、  ２…相手コネクタ、  ３…固定部、  ４…相手コネクタハウジング、  ５…端子収容室、  ６…係合突起、  ７…コネクタ本体、  ８…レバー、  ９…コネクタハウジング、  １０…端子収容室、  １１…嵌合部、  １２…ガイド溝、  １３…ボス部、  １４…スライド許容部、  １５…被当接部、  １６…係止維持部、  １７…被当接部、  １８…アーム部、  １９…ハウジングロック部、  ２０…第一位置、  ２１…第二位置、  ２２…脚部、  ２３…横桟部、  ２４…ボス部回転穴、  ２５…レバーロック部、  ２６…操作部、  ２７…当接部、  ２８…係止維持部、  Ｌ１…第一軸、  Ｌ２…第二軸
【図１】
2018206519.tif 000003
【図２】
2018206519.tif 000004
【図３】
2018206519.tif 000005
【図４】
2018206519.tif 000006
【図５】
2018206519.tif 000007
【図６】
2018206519.tif 000008
【図７】
2018206519.tif 000009
【図８】
2018206519.tif 000010
【図９】
2018206519.tif 000011
【図１０】
2018206519.tif 000012
【図１１】
2018206519.tif 000013
【図１２】
2018206519.tif 000014
【図１３】
2018206519.tif 000015
【図１４】
2018206519.tif 000016
【図１５】
2018206519.tif 000017
【図１６】
2018206519.tif 000018